(57)【特許請求の範囲】
【請求項１】
電気機器の本体壁に形成された孔部より、スライド操作板の操作摘みをスライド可能に突出させた構造のスライド操作スイッチにおいて、
前記スライド操作板の表面に、操作摘みを突出形成するとともに、その裏面に、スイッチ部品の操作部を嵌入させ保持する嵌入保持溝と、前記スライド操作板の両端から突設された支持枠体に水平枠体が架設されて成る水平支持枠を形成し、前記孔部を、本体の適所に、前記スライド操作板の一端を係止させる係止部と、前記スライドス操作板を組み付けるときには、上記水平枠体の内部に位置付けられ、これを組み付けた後には、前記スライド操作板の水平支持枠を載せるガイド支持突片とに対応させて形成した構造にしているスライド操作スイッチ。
【請求項２】
前記スライド操作板の嵌入保持溝は、上方が開いたＹ字状ガイド縁を有した構造とされている、請求項１に記載のスライド操作スイッチ。
【請求項３】
前記スライド操作板の水平支持枠は、水平枠体を支える左右の支持側枠が、スライド操作板から水平枠体に向かうにつれて、上下の幅が次第に小さくなる形状に形成されている、請求項１に記載のスライド操作スイッチ。
【請求項４】
前記係止部が、少なくとも２以上の爪片を突設した構造になっている、請求項１に記載のスライド操作スイッチ。
【請求項５】
前記スライド操作板の上方より、スイッチ部品を下面に実装した回路基板を被せるようにして、電気機器のベース、またはカバーに取り付ける構造としている、請求項２に記載のスライド操作スイッチ。
【請求項６】
機器本体の側壁に、請求項１〜５に記載されたスライド操作スイッチのいずれかを設けている、電気機器。
【発明の詳細な説明】
【発明の属する技術分野】
【０００１】
本発明は、電気機器の本体壁に形成された孔部より、スライド操作板の操作摘みを本体壁の外方にスライド可能に突出させた構造のスライド操作スイッチ、およびこのスライド操作スイッチを用いた電気機器に関する。
【従来の技術】
【０００２】
近時、例えば、テレビインターホンのような電気機器では、機器本体の側面などに、音量や輝度などを無段階に調節するため、スライド操作スイッチを設けたものが多い。図８は、従来のハンズフリー型のテレビインターホンを概略的に示す分解斜視図である。
【０００３】
このハンズフリー型のテレビインターホン１００は、その表面にＣＲＴ表示部１２１を設け、その下中央には通話ランプ１２２を設けた通話スイッチ１２３、右下方には、モニタスイッチ１２４、内線呼出スイッチ１２８、１２９をいずれも押ボタン構造にして設けてあり、その底面の左方には、音量調整スイッチｓｗ１０１、輝度調整スイッチｓｗ１０２をスライド操作スイッチとして設けた構造となっている。
【０００４】
このテレビインターホン１００には、ベース１０２の底壁部１０３及びカバー１０４の底壁部１０５の各々に、音量調整スイッチｓｗ１０１及び輝度調整スイッチｓｗ１０２の各々のスイッチ操作部１１１、１１１を表面（側面）に露出するための切欠孔１０６、１０７が各々形成され、音量調整スイッチｓｗ１０１及び輝度調整スイッチｓｗ１０２は、ベース１０２とカバー１０４とを組み付ける際に、これらの切欠孔１０６、１０７の間に挟み込んで取付けられている。
【０００５】
そして、使用の際には、表面（側面）に露出した音量調整スイッチｓｗ１０１スイッチ操作部１１１を操作して、音量調整したり、オン、オフしたり、また、輝度調整スイッチｓｗ１０２のスイッチ操作部１１１を操作して、ＣＲＴ表示部１２１の明るさを調整したりしている。
【発明が解決しようとする課題】
【０００６】
ところが、従来のテレビインターホン１００では、音量調節スイッチｓｗ１０１や輝度調整スイッチｓｗ１０２をベース１０２の底壁部１０３とカバー１０４の底壁部１０５とで挟み込んで取り付けるようにしているため、メンテナンスのため等の際に、テレビインターホン１００のベース１０２とカバー１０４とを分離すると、音量調節スイッチｓｗ１０１や輝度調整スイッチｓｗ１０２が脱落し、場合によっては、音量調節スイッチｓｗ１０１や輝度調整スイッチｓｗ１０２を紛失してしまうといった問題があった。
【０００７】
本発明は、以上のような問題を解決するためになされたものであって、第１の目的は、スライド操作スイッチの組み付けや取り外し時にはネジを使用せずに、指で簡単にでき、しかもカバーとベースを取り外した場合にも脱落しないスライド操作スイッチを提供することにある。また、第２の目的は、このスライド操作スイッチを設けた電気機器を提供することにある。
【課題を解決するための手段】
【０００８】
請求項１に記載のスライド操作スイッチは、電気機器の本体壁に形成された孔部より、スライド操作板の操作摘みをスライド可能に突出させた構造のスライド操作スイッチにおいて、前記スライド操作板の両端から突設された支持枠体に水平枠体が架設されて成る水平支持枠を形成し、前記孔部を、本体の適所に、前記スライド操作板の一端を係止させる係止部と、前記スライドス操作板を組み付けるときには、上記水平枠体の内部に位置付けられ、これを組み付けた後には、前記スライド操作板の水平支持枠を載せるガイド支持突片とに対応させて形成した構造にしている。
【０００９】
ここで、本明細書において用いる用語「本体壁」は、カバーの側壁であっても、ベースの側壁であっても良い。また、「本体の適所」は、ベースの底面であっても、カバーとベースとの間に収容される回路基板であってもよい。このような構造のスライド操作スイッチによれば、スライド操作板を指で摘み、その下端が係止部に係止されるように斜めにし、孔部の方に押圧することによって簡単に組み付けでき、このようにして、スライド操作板が取り付けられると、その裏面に形成された水平枠はガイド支持片の上に支えられるので、スライド操作板がスライドする間は安定した水平状態にガイドされ、支持される。
取り外すときには、孔部より本体壁の外方に突出した操作摘みを、内方に強く押せば、スライド操作板の下端が係止部から外れるので、指で摘み上げればよい。このように、組み付けや取り外しにネジを使用せずに、指で簡単にでき、しかもカバーとベースを取り外した場合にも容易に脱落することがない。
しかも、スライド操作板の水平支持枠をガイド支持突片に載せて支えているので、スライド操作を安定して行うことができる。
【００１０】
請求項２に記載のスライド操作スイッチは、請求項１に記載のスライド操作スイッチの、スライド操作板の嵌入保持溝は、上方が開いたＹ字状ガイド縁を有した構造とされている。
したがって、スイッチ部品の操作部を、嵌入保持溝に嵌入させる際に、操作部の位置が多少ずれていても、Ｙ字状ガイド縁にガイドさせ嵌入させて固定することができる。
【００１１】
請求項３に記載のスライド操作スイッチは、請求項１に記載のスライド操作スイッチの、スライド操作板の水平支持枠が、水平枠体を支える左右の支持側枠が、スライド操作板から水平枠体側に向かうにつれて、上下の幅が次第に小さくなる形状に形成されている。
このスライド操作スイッチでは、スライド操作板の水平支持枠の形状を、弾性変形が容易な構造にしているので、スライド操作板を斜めにし、水平枠体の内方にガイド支持突片を位置させても、スライド操作板が、水平支持枠が弾性変形することで、ガイド支持突片上に乗り上げ、この時、スライド操作板が、本体壁に密着し、スライド操作板に突出形成した操作摘みが、本体壁に形成された孔部より、露出する。これにより、スライド操作スイッチを簡単に組み立てることができる。また、スライド操作スイッチからスライド操作板を取り外すときには、本体壁の孔部より突出した操作摘みを、本体壁の外方から内方に強く押圧すれば、ガイド支持突片から水平枠体から容易に外れるので、スライド操作スイッチを簡単に分解できる。
【００１２】
請求項４に記載のスライド操作スイッチは、請求項１に記載のスライド操作スイッチの、係止部が、少なくとも２以上の爪片を突設した構造になっている。これら、少なくとも２以上の爪片にスライド操作板の下縁を係入するようにすれば、スライド操作板の位置決めが容易にできるので、スライド操作スイッチを簡単に組み立てることができる。
【００１３】
請求項５に記載のスライド操作スイッチは、請求項２に記載のスライド操作スイッチの、スライド操作板の上方より、スイッチ部品を下面に実装した回路基板を被せるようにして、電気機器のベース、またはカバーに取り付ける構造としている。このような構造のものでは、スイッチ部品の操作部を位置合わせしなくても、スイッチ部品の操作部がＹ字状ガイド縁内に嵌入され、取付けを容易にできる。
【００１４】
請求項６に記載の電気機器は、電気機器本体の側壁に、請求項１〜５に記載されたスライド操作スイッチのいずれかを設けている。この電気機器では、電気機器本体の側壁に、請求項１〜５に記載されたスライド操作スイッチのいずれかを設けるようにしている。これにより、側壁に、スライド操作スイッチの操作摘みだけが突出した構造となるので、電気機器の外観をスマートにできる。
【発明の実施の形態】
【００１５】
以下、本発明に係るスライド操作スイッチの一例について、図面を参照しながら更に詳しく説明する。図１は、本発明に係るスライド操作スイッチの要部構造を概略的に示す分解斜視図である。
【００１６】
尚、図１では、説明を容易とするため、カバー４を下にして、図示している（図２及び図３において同じ）。このスライド操作スイッチ１０は、図１に示すように、電気機器の本体壁（この例では、カバー４の側壁）３に横長な孔部ｈを形成し、この孔部ｈにスライド操作板１の操作摘み１１をスライド可能に突出させた構造となっている。
【００１７】
スライド操作板１は、その表面１ａには操作摘み１１を突出形成し、裏面１ｂには、基板７に実装されたスイッチ部品６の操作突部６ａを嵌入させる、上方が開いたＹ字状ガイド縁を有した嵌入保持溝１３と、平面視略コ字形の水平支持枠１２を形成している。尚、基板７は、各種の電装品やプリント配線が実装される回路基板（図３に示す回路基板８）に、電気配線により、物理的に固定され且つ電気的な接触が図られるようになっている。
【００１８】
また、カバー４の本体壁３には、そのコーナ部に、スライド操作板１の下端を係止させる側面視略Ｌ字形の複数の爪片からなる係止部１４と、スライド操作板１の水平支持枠１２を載せるガイド支持突片５とを、孔部ｈに対応させて形成している。スライド操作板１の水平支持枠１２は、水平枠体１２ａを支える左右の支持側枠１２ｂ、１２ｂが、スライド操作板１から水平枠体１２ａ側に向かうにつれて、上下の幅が次第に小さくなるように傾斜面を形成されている。
【００１９】
次に、スライド操作板１を電気機器の本体壁３に組み付ける手順について、図２を参照しながら説明する。まず、図２（ａ）に示すように、スライド操作板１を指で摘み、斜めにして、下端を本体壁３の係止部１４に係止させる。このときガイド支持突片５は、水平枠体１２ａの内部に位置している。
【００２０】
次に、図２（ｂ）に示すように、下端を係止部１４に係止させたスライド操作板１を、指で本体壁３の孔部ｈの方に押圧する。すると、図２（ｃ）に示すように、水平枠体１２ａは、支持側枠１２ｂ、１２ｂが弾性変形することで、ガイド支持突片５の上に移動し、スライド操作板１は、孔部ｈの方に引き寄せられて垂直に起立し、スライド操作板１は孔部ｈに密着し（このとき、スライド操作板１と本体壁３との当接や、支持側枠１２ｂ、１２ｂに復元により、パッチという音がする）、水平枠体１２ａはガイド支持突片５の上に乗り、孔部ｈより操作摘み１１が露出する。
【００２１】
このようにして、スライド操作板１が取り付けられると、スライド操作板１の水平枠体１２ａは、ガイド支持突片５の上に支えられることになり、スライド操作板１がスライドする間も、安定した水平状態にガイドされる。また、スライド操作スイッチ１０からスライド操作板１を取り外すときには、本体壁３の孔部ｈより突出した操作摘み１１を、本体壁の外方から内方に強く押圧すれば、ガイド支持突片５から水平枠体１２ａから外れ、スライド操作板１の下端が係止部１４から容易に外れるので、スライド操作スイッチ１０を簡単に分解できる。
【００２２】
このスライド操作スイッチ１０は、本体壁３の孔部ｈに取付けられ、取り外されるので、カバー４からベース（図７に示すベース２を参照）を取り外しても、スライド操作板１が容易に脱落することがなく、また、スライド操作板１も、その水平枠体１２ａがガイド支持突片５に載せて支えられているので、スライド操作も安定して行うことができる。
【００２３】
しかも、このスライド操作スイッチ１０は、組み付けや取り外しにネジを使用せずに、指で簡単にできる。また、このスライド操作スイッチ１０はカバー４からベース（図７に示すベース２を参照）を取り外した場合にも容易に脱落することがない。
【００２４】
図３は、図１に示したスライド操作スイッチ１０とカバーとの構造を概略的に示す分解斜視図である。
【００２５】
尚、図３中、８で示す部材は、回路基板を示しており、この例では、カバー４と回路基板８とは、カバー４に一体成形されたボス４ａにネジ（図示せず）を挿入し、ボス４ａに挿入したネジ（図示せず）を回路基板８に設けられたネジ孔８ｈに螺合することで、固定される。この時、基板７に実装されたスイッチ部品６の操作突部６ａは、上方が開いたＹ字状ガイド縁を有した嵌入保持溝１３によりガイドされるので、スイッチ部品６の操作突部６ａの位置が多少ずれていても、スライド操作板１の嵌入保持溝１３に、操作突部６ａを嵌入させて固定することができる。
【００２６】
図４は、本発明に係るスライド操作スイッチを本体壁の側壁に設けた電気機器を、カバーの一部を切り欠いて、概略的に示す外観斜視図である。また、図５は、図１に示すスライド操作スイッチの全体構成を概略的に示す縦断面構造図を示している。尚、説明を容易とするため、図４及び図５において、図１に示す部材に相当する部材については、相当する参照符号を付して、ここでの説明は省略する。
【００２７】
また、図６は、本発明に係るスライド操作スイッチの他例を概略的に示す分解斜視図である。このスライド操作スイッチ１０Ａでは、嵌入保持部１３’が、角穴に形成されており、この角穴１３’に、スイッチ部品６の操作突部（図示せず）を嵌入させる構造になっている点が、スライド操作スイッチ１０と異なっている。
【００２８】
このスライド操作スイッチ１０Ａも、スライド操作スイッチ１０と同様の効果を奏する。尚、図６に示すスライド操作スイッチ１０Ａのその他の構成は、スライド操作スイッチ１０と同様であるので、説明を容易とするため、相当する部材については、相当する参照符号を付して、ここでの説明は省略する。
【００２９】
図７は、本発明に係るスライド操作スイッチを用いた電気機器であるテレビインターホンを概略的に示す外観斜視図である。このテレビインターホン２０では、ベース２とカバー４とのより構成される本体２０ａの側面に設けられるスイッチｓｗ１、ｓｗ２、ｓｗ３、ｓｗ４及びｓｗ５として、本発明に係るスライド操作スイッチを用いている。
【００３０】
より具体的に説明すると、このテレビインターホン２０は、その側面に設けられる、テレビインターホン２０を構成する機器類への電源の入・切をするための電源スイッチｓｗ１、室内に設けられる親機・副親機等をグループ分けするためのグループ設定スイッチｓｗ２、このテレビインターホン２０の鳴動音の音量を調整等するドアホン設定スイッチｓｗ３、ｓｗ４、トークバック設定スイッチｓｗ５をいずれも本発明に係るスライド操作スイッチとしている。
【００３１】
これにより、テレビインターホン２０の側面には、その操作摘み１１だけが露出するだけであるので、外観がスマートとなる。尚、この例で、ドアホン設定スイッチｓｗ３、ｓｗ４を２つ設けているのは、テレビインターホン２０を２台設ける時に、このテレビインターホン２０を２台のいずれにも使用できるようにするためである。
【００３２】
即ち、このテレビインターホン２０を２台のうちの１台として使用する際には、ドアホン設定スイッチｓｗ３を使用し、もう一台として使用する際には、ドアホン設定スイッチｓｗ４を使用する。また、トークバック設定スイッチｓｗ５は、操作摘み１１を操作することで、オンとオフとが選択できるようになっており、トークバック設定スイッチｓｗ５をオフ側にすると、一斉連絡時（この例では、室内間通話時の最初の１０秒間）、呼び出された側の室内の音を呼び出した側に聞こえないようにすることができるようになっている。
【００３３】
尚、図７中、２１は、テレビインターホン２０の表面に設けたＣＲＴ表示部を、２３は、通話ランプ２２を設けた通話スイッチを、２４は、モニタスイッチを、また、２８、２９の各々は、グループ設定スイッチｓｗ２によりグループ分けされた親機・副親機の各グループを呼び出す内線呼出スイッチを各々示しており、この例では、これらのスイッチ２３、２４、２８、２９は、いずれも押ボタン構造になっている。
【００３４】
尚、この発明の実施の形態では、スライド操作スイッチ１０をカバー４側に設けた例について説明したが、スライド操作スイッチ１０は、ベース２側に設けてもよい
【発明の効果】
【００３５】
以上、詳細に説明したように、請求項１に記載のスライド操作スイッチでは、組み付けや取り外しにネジを使用せずに、指で簡単にでき、しかもカバーとベースを取り外した場合にも容易に脱落することがない。しかも、スライド操作板は、その水平支持枠がガイド支持突片に載せて支えられているので、スライド操作を安定して行うことができる。
【００３６】
請求項２に記載のスライド操作スイッチでは、嵌入保持溝にはＹ字状ガイド縁が設けられている。これにより、スイッチ部品の操作部の位置がずれていても、スイッチ部品の操作部は、Ｙ字状ガイド縁にガイドされて、嵌入保持溝に嵌入されるので、スライド操作スイッチを容易に組み立てることができる。
【００３７】
請求項３に記載のスライド操作スイッチでは、スライド操作板の水平支持枠の形状を、弾性変形が容易な構造をにしているので、スライド操作板を斜めにし、水平枠体の内方にガイド支持突片を位置させても、スライド操作板が、水平支持枠が弾性変形することで、ガイド支持突片上に乗り上げ、この時、スライド操作板が、本体壁に密着し、スライド操作板に突出形成した操作摘みが、本体壁に形成された孔部より、露出する。これにより、スライド操作スイッチを簡単に組み立てることができる。また、スライド操作スイッチからスライド操作板を取り外すときには、本体壁の孔部より突出した操作摘みを、本体壁の外方から内方に強く押圧すれば、ガイド支持突片から水平枠体から容易に外れるので、スライド操作スイッチを簡単に分解できる。
【００３８】
請求項４に記載のスライド操作スイッチでは、構造の簡単な少なくとも２以上の爪片にスライド操作板の下縁を係入することによって、スライド操作板の位置決めができ、また出し入れも容易にできる。
【００３９】
請求項５に記載のスライド操作スイッチでは、スイッチ部品を実装した回路基板を上方からＹ字状ガイド縁側に設けている。これにより、スイッチ部品の操作部を位置合わせしなくても、スイッチ部品の操作部がＹ字状ガイド縁内に容易に嵌入されるので、スライド操作スイッチの組立を、一層容易に行うことができる。
【００４０】
請求項６に記載の電気機器では、電気機器本体の側壁に、請求項１〜５のいずれかに記載のスライドスイッチ構造を設けているので、側壁に、スライド操作スイッチの操作摘みが突出した構造となるので、電気機器の外観をスマートにできる。
【図面の簡単な説明】
【図１】本発明に係るスライド操作スイッチの要部をその一部を切断して概略的に示す分解斜視図である。
【図２】図１に示すスライド操作スイッチの組み付け手順を概略的に示す工程図である。
【図３】図１に示すスライド操作スイッチの全体構造を概略的に示す分解斜視図である。
【図４】本発明に係るスライド操作スイッチを本体壁の側壁に設けた電気機器を、カバーの一部を切り欠いて、概略的に示す外観斜視図であるる。
【図５】図１に示すスライド操作スイッチのを中心に概略的に示す縦断面構造図である。
【図６】本発明に係るスライド操作スイッチの他の例の全体構造を概略的に示す示す分解斜視図である。
【図７】本発明に係るスライド操作スイッチが用いられたテレビインターホンを概略的に示す外観斜視図である。
【図８】従来のテレビインターホンを概略的に示す分解斜視図である。
【符号の説明】
ｈ 孔部
１ スライド操作板
２ ベース
３ 本体壁
４ カバー
５ ガイド支持突片
６ 操作部
７ スイッチ部品
１０、１０Ａ、１０Ｂ、ｓｗ１〜ｓｗ５ スライド操作スイッチ
１１ 操作摘み
１２ 水平支持枠
１２ａ 水平枠体
１２ｂ 支持側枠
１３ 嵌入保持部
１４ 係止部
２０ テレビインターホン（電気機器）
【図１】
0003593872.tif 000002
【図２】
0003593872.tif 000003
【図３】
0003593872.tif 000004
【図４】
0003593872.tif 000005
【図５】
0003593872.tif 000006
【図６】
0003593872.tif 000007
【図７】
0003593872.tif 000008
【図８】
0003593872.tif 000009